(57)【要約】【課題】施錠用ハンドルを框の内側見込み面に取付ける構造とした場合もハンドルの取付けに工具スペースの制約を受けず、ハンドルの取付けが容易となる建具におけるハンドルの取付け構造を提供する。【解決手段】施錠用ハンドル２５を框８の内側見込み面８ｊに取付ける。取付けユニット２７に、ホロー部８ｇの内側見込み面８ｊに当接させるねじ孔付きの取付け片３６ｄを設ける。段付きねじ４６を、框８の外側見込み面部に設けたねじ挿通孔８ｒから挿入し、大径部４６ｂの先端を、内側見込み面形成部の内面８ｓに当接させる。雄ねじ部４６ｃを内側見込み面形成部に設けたねじ挿通孔８ｔに挿通して取付け片３６ｄのねじ孔３６ｅに螺合し締結することにより、取付けユニット２７を框８に取付ける。【選択図】図８
2015113582.tif 000002
【特許請求の範囲】
【請求項１】
施錠用ハンドルを障子の框の内側見込み面に取付ける建具におけるハンドルの取付け構造において、
ハンドルを回動可能に取付ける取付けユニットを、框に設けたホロー部に収容する構造とし、
前記取付けユニットに、前記ホロー部の内側見込み面に当接させるねじ孔付きの取付け片を設け、
前記取付けユニットを前記框に取付けるねじとして、頭部側の軸部を大径とし、大径部より反頭部側に大径部より小径の雄ねじ部を形成した段付きねじを備え、
前記段付きねじを、前記框の外側見込み面形成部に設けたねじ挿通孔から挿入し、前記大径部の先端を、前記内側見込み面形成部のホロー部内面に当接させ、かつ前記雄ねじ部を前記内側見込み面形成部に設けたねじ挿通孔に挿通して前記取付け片のねじ孔に螺合し締結することにより、前記取付けユニットを前記框に取付けた
ことを特徴とする建具におけるハンドルの取付け構造。
【請求項２】
請求項１に記載の建具におけるハンドルの取付け構造において、
前記取付けユニットの外側見込み面側に前記と別の取付け片を備え、
前記框の外側見込み面形成部に、前記ねじ挿通孔と別のねじ挿通孔を設け、
前記段付きねじと異なる取付けねじを前記別のねじ挿通孔に挿通して前記別の取付け片のねじ孔に螺合し締結した
ことを特徴とする建具におけるハンドルの取付け構造。
【請求項３】
請求項１または２に記載の建具におけるハンドルの取付け構造において、
前記取付けユニットは、樹脂ブロックの室外側面と室内側面にそれぞれ当接させる第１、第２の曲成金属板で挟持して固定具により両曲成金属板を樹脂ブロックに固定する構造を有し、
前記樹脂ブロックの内側見込み面側に、前記ホロー部の内側見込み面に当接させると共に、前記内側見込み面に当接させる前記取付け片を覆うカバー部を設けた
ことを特徴とする建具におけるハンドルの取付け構造。
【請求項４】
請求項１から３までのいずれか１項に記載の建具におけるハンドルの取付け構造において、
前記建具の枠および框を合成樹脂製押出形材により構成した
ことを特徴とする建具におけるハンドルの取付け構造。
【発明の詳細な説明】
【技術分野】
【０００１】
本発明は、辷り出し窓や開き窓等として構成する建具における施錠用ハンドルの取付け構造に係わり、特にグレモン錠を取付ける窓に適用する場合に好適なハンドルの取付け構造に関する。
【背景技術】
【０００２】
辷り出し窓や開き窓等のように建物の開口部に設置される建具において、断熱性を高めるため、特に寒冷地等においては、枠や框を合成樹脂製押出形材により製作した樹脂製建具が賞用される。図９はこのような従来の樹脂製建具の一例を示す横断面図であり、縦辷り出し窓について示すものである。
【０００３】
図９において、５０，５１は左右の縦枠、５２，５３は障子の左右の縦框、５４は縦框５２，５３および上下の横框５５とで組まれた枠内に組み込まれたガラスパネルである。５６は一方の縦框５２の室内側見付け面５２ａに取付けられたグレモン錠のハンドル、５２ｂは縦框５２のホロー部、５７はこのホロー部５２ｂ内に嵌合して取付けた鋼材でなる芯材である。５８はハンドル５６の操作により、縦框５２に設けたガイド部５２ｃに沿って摺動する可動枠、５９はこの可動枠５８に取付けたロックピン、６０は縦枠５０に取付ける受け具であり、ロックピン５９を嵌合、離脱させるロック溝を有するものである。ハンドル５６の動きを可動枠５８およびロックピン５９に伝達する操作力伝達機構(図示せず)は、ホロー部５２ｂ内に収容される。
【０００４】
このように縦框５２の見付け面５２ａにハンドル５６を取付けた構造の場合、ハンドル５６を取付けるための幅Ｗ１が必要となるため、縦框５２の見付け面５２ａの幅が広くなる。
【０００５】
一方、ガラスパネル５４については、近年の断熱性の向上により、樹脂製框よりも単位面積あたりの断熱性能が高くなってきている。このため、断熱性の高い樹脂製建具を実現するためには、ハンドル５６を縦框５２の内側見込み面５２ｄに取付けることにより、縦框の見付け面の幅（Ｗ１）をできるだけ狭くし、縦框５２の伝熱面積をなるべく狭くする一方、ガラスパネル５４の面積をその分だけ広くすることが望まれる。すなわち断熱性をより向上させるには、特許文献１に開示されているように、ハンドル５６を縦框５２の内側見込み面５２ｄに取付けることが望まれる。（ただし特許文献１に開示の建具は樹脂製建具ではなく、アルミニウム合金製押出形材を使用したものである。）
【先行技術文献】
【特許文献】
【０００６】
【特許文献１】特開平９−４１７６２号公報
【発明の概要】
【発明が解決しようとする課題】
【０００７】
上述のように、建具の断熱性を向上させるには、グレモン錠のハンドル５６を特許文献１に記載のように内側見込み面５２ｄに取付け、これにより縦框５２の幅を狭くすることが考えられる。しかしながら、このようにハンドル５６を見込み面５２ｄに取付ける構造によれば、ハンドル取付け時の工具スペースの制約を受け、ハンドルの取付け作業が困難になるという問題点がある。
【０００８】
本発明は、上記問題点に鑑み、施錠用ハンドルを框の内側見込み面に取付ける構造とした場合もハンドルの取付けに工具スペースの制約を受けず、ハンドルの取付けが容易となる建具におけるハンドルの取付け構造を提供することを目的とする。
【課題を解決するための手段】
【０００９】
請求項１の建具におけるハンドルの取付け構造は、施錠用ハンドルを障子の框の内側見込み面に取付ける建具におけるハンドルの取付け構造において、
ハンドルを回動可能に取付ける取付けユニットを、框に設けたホロー部に収容する構造とし、
前記取付けユニットに、前記ホロー部の内側見込み面に当接させるねじ孔付きの取付け片を設け、
前記取付けユニットを前記框に取付けるねじとして、頭部側の軸部を大径とし、大径部より反頭部側に大径部より小径の雄ねじ部を形成した段付きねじを備え、
前記段付きねじを、前記框の外側見込み面形成部に設けたねじ挿通孔から挿入し、前記大径部の先端を、前記内側見込み面形成部のホロー部内面に当接させ、かつ前記雄ねじ部を前記内側見込み面形成部に設けたねじ挿通孔に挿通して前記取付け片のねじ孔に螺合し締結することにより、前記取付けユニットを前記框に取付けた
ことを特徴とする。
【００１０】
請求項２の建具におけるハンドルの取付け構造は、請求項１に記載の建具におけるハンドルの取付け構造において、
前記取付けユニットの外側見込み面側に前記と別の取付け片を備え、
前記框の外側見込み面形成部に、前記ねじ挿通孔と別のねじ挿通孔を設け、
前記段付きねじと異なる取付けねじを前記別のねじ挿通孔に挿通して前記別の取付け片のねじ孔に螺合し締結した
ことを特徴とする。
【００１１】
請求項３の建具におけるハンドルの取付け構造は、請求項１または２に記載の建具におけるハンドルの取付け構造において、
前記取付けユニットは、樹脂ブロックの室外側面と室内側面にそれぞれ当接させる第１、第２の曲成金属板で挟持して固定具により両曲成金属板を樹脂ブロックに固定する構造を有し、
前記樹脂ブロックの内側見込み面側に、前記ホロー部の内側見込み面に当接させると共に、前記内側見込み面に当接させる前記取付け片を覆うカバー部を設けた
ことを特徴とする。
【００１２】
請求項４の建具におけるハンドルの取付け構造は、請求項１から３までのいずれか１項に記載の建具におけるハンドルの取付け構造において、
前記建具の枠および框を合成樹脂製押出形材により構成した
ことを特徴とする。
【発明の効果】
【００１３】
請求項１の発明によれば、框の外側見込み面側から挿入する段付きねじにより、ハンドルの取付けユニットを框に固定することができるので、内側見込み面からねじにより取付けユニットを取付ける場合のような作業スペース上の制約を受けないため、ハンドルの取付け作業が容易となる。
【００１４】
また、ハンドルを框の内側見込み面に取付けたので、見付け面にハンドルを取付ける場合に比較し、框の見付け面の幅を狭くすることが可能となり、框の幅を狭くした分、ガラスパネルの面積を広くすることができるので、建具の断熱性を向上させることができる。
【００１５】
請求項２の発明によれば、取付けユニットの外側見込み面側に別の取付け片を設け、段付きねじ以外の取付けねじを別の取付け片のねじ孔に螺合し締結したので、取付けユニットの框に対する取付け強度をより高めることができ、また、取付けユニットが内側見込み面部と外側見込み面部とで固定されるため、取付けユニットのぐらつきが防止される。
【００１６】
請求項３の発明によれば、取付けユニットの内側見込み面側の取付け片が樹脂ブロックのカバー部により隠される構造としたので、内側見込み面側から固定する場合に必要となるねじ隠しキャップが不要となる。
【００１７】
請求項４の発明によれば、ホロー部に取付けユニットを取付ける取付けねじとして段付きねじを用いたので、框の内側見込み面部と外側見込み面部との間を取付けねじによって近づける方向に変形させることなく取付けユニットを框に取付けることができ、框の強度が弱い樹脂製建具において、框を変形させることなく、取付けユニットを框を強固に取付けることができる。また、断熱性の高い樹脂製建具において、ハンドルを見込み面に取付ける構造により、框の見付け面の面内方向の幅を狭くすることができ、さらに断熱性の優れた樹脂製建具を提供することが可能となる。
【図面の簡単な説明】
【００１８】
【図１】本発明を適用した建具の一実施の形態である縦辷り出し窓を示す横断面図である。
【図２】図１の縦辷り出し窓の縦断面図である。
【図３】（Ａ）は本実施の形態の窓に用いるグレモン錠の構成を示す斜視図、（Ｂ）はそのロックピンと受け具とを示す斜視図である。
【図４】本実施の形態のグレモン錠の取付けユニットを示す分解斜視図である。
【図５】本実施の形態のグレモン錠の取付けユニットを室内側から見た正面図である。
【図６】本実施の形態のグレモン錠の取付け構造を示す正面断面図である。
【図７】本実施の形態のグレモン錠の取付け構造を示す平面断面図である。
【図８】本実施の形態の段付きねじの取付け構造を示す正面断面図である。
【図９】従来の樹脂製建具の一例を示す横断面図である。
【発明を実施するための形態】
【００１９】
図１、図２はそれぞれ本発明を適用した建具の一実施の形態を示す横断面図、縦断面図である。これらの図において、１は建物の開口部に固定される窓枠、２はこの窓枠１に装着される障子であり、本実施の形態の建具は、縦辷り出し窓について示している。窓枠１は合成樹脂製押出形材でなる左右の縦枠３，４と上下の横枠５，６により構成され、各枠３〜６は同じ断面形状を有し、各端部を不図示の接合部において互いに溶着等により接合して一体化したものである。
【００２０】
障子２は、合成樹脂製押出形材でなる左右の縦框８，９と、上横框１０と、下横框１１により構成され、各框８〜１１は同じ断面形状を有し、各端部を不図示の接合部において溶着等より接合し、これらで組まれた枠内にガラスパネル１３を組み込んで構成したものである。本実施の形態は、図１、図２に示すように、ガラスパネル１３として３枚のガラスパネルを断熱性の高いガス層の密封構造で組み合わせたトリプルパネルにより構成した例を示す。
【００２１】
図１、図２において、１５は窓の室内側、１６は室外側である。１７は窓枠１における障子２の受け面に設けた気密材である。この気密材１７は、縦枠３，４、上横枠５および下横枠６の各室内側部分にそれぞれ設けた気密材取付け溝３ａ，４ａ，５ａ，６ａに嵌着して窓枠１の４周に連続させ、両端を突き合わせて取付ける。
【００２２】
１８は障子２における窓枠１に対する当接面に設けた気密材である。この気密材１８を取付けるため、縦框８，９、および横框１０，１１の室外側部分にそれぞれ見付け面の面内方向（図１、図２に矢印２７で示す。）の外側に突出させて突出部８ａ，９ａ，１０ａ，１１ａを設け、各突出部の室内側にそれぞれ気密材取付け溝８ｂ，９ｂ，１０ｂ，１１ｂを設けており、気密材１８は、これらの気密材取付け溝８ｂ，９ｂ，１０ｂ，１１ｂに嵌着して４周に連続させ、両端を突き合わせて取付ける。
【００２３】
１９は障子２のガラスパネル１３の４周における室内側の面と框８〜１１との間の気水密性を保持する気密材であり、この気密材１９は、縦框８，９、および横框１０，１１の室内側の部分にそれぞれ設けた気密材取付け溝８ｃ，９ｃ，１０ｃ，１１ｃに４周を連続させて設ける。２０は障子２の框８〜１１にガラスパネル１３を固定する押縁であり、この押縁２０は、縦框８，９、および横框１０，横枠１１の室外側の部分に設けた押縁取付け溝８ｄ，９ｄ，１０ｄ，１１ｄに嵌着し、押縁２０によりガラスパネル１３の室外側の面の４周を押し付けるようにして設ける。
【００２４】
縦框８，９、および横框１０，１１は、ガラスパネル１３の端部に対向する部分にそれぞれホロー部８ｅ，９ｅ，１０ｅ，１１ｅを形成する。これらのホロー部８ｅ，９ｅ，１０ｅ，１１ｅの見付け面の面内方向の外側の室内側には、それぞれ前記気密材１８を取付ける前記気密材取付け溝８ｂ，９ｂ，１０ｂ，１１ｂを設ける。
【００２５】
また、ガラスパネル１３に対向するホロー部８ｅ，９ｅ，１０ｅ，１１ｅの室外側にもさらにそれぞれホロー部８ｆ，９ｆ，１０ｆ，１１ｆを形成する。左右の縦框８，９のホロー部８ｅ，９ｅには、それぞれ鋼材でなる芯材２２，２３を、その３辺がホロー部８ｅ，９ｅの内壁に沿って当接するように嵌合して収容する。
【００２６】
縦框８，９、および横框１０，１１の室内側にもそれぞれホロー部８ｇ，９ｇ，１０ｇ，１１ｇを形成する。これらのホロー部８ｇ，９ｇ，１０ｇ，１１ｇの室外側見付け面に、それぞれ前記気密材１９を取付ける前記気密材取付け溝８ｃ，９ｃ，１０ｃ，１１ｃを形成する。
【００２７】
前記ガラスパネル１３に対向するホロー部８ｅ，９ｅ，１０ｅ，１１ｅと、室内側ホロー部８ｇ，９ｇ，１０ｇ，１１ｇとの間に、それぞれホロー部８ｅ，９ｅ，１０ｅ，１１ｅより見付け面の面内方向の幅が狭い狭幅部８ｈ，９ｈ，１０ｈ，１１ｈを形成する。
【００２８】
ガラスパネル１３に対向するホロー部８ｅ，９ｅ，１０ｅ，１１ｅの見付け面の面内方向の外側部分と、狭幅部８ｈ，９ｈ，１０ｈ，１１ｈとの間に、それぞれホロー部８ｅ，９ｅ，１０ｅ，１１ｅ側が見付け面の面内方向の外側となるように傾斜した傾斜板部８ｉ，９ｉ，１０ｉ，１１ｉを形成する。
【００２９】
図１において、２５はグレモン錠のハンドルであり、このハンドル２５は縦框８におけるガラスパネル１３の装着部より室内側の内側（見付け面の面内方向の内側を意味する。）見込み面８ｊに取付ける。
【００３０】
図２において、３０，３１はそれぞれこの障子２の上部と下部と、上下の横枠５，６との間にそれぞれ取付けられた窓枠１と障子２との連結機構であり、この窓を縦辷り出し窓として機能させるものである。この連結機構３０，３１の詳細な説明を省略するが、ハンドル２５を把持して縦框８側を室外側に押し出すことにより、縦框９側を図１の矢印３２側に示すように横枠５，６に沿って移動させると同時に、縦框８側を矢印３３に示すように室外側に回動させて窓を開き、反対に、ハンドル２５を把持して室内側に引くことにより、障子を矢印３２，３３の反対方向に動かして窓を閉じるものである。
【００３１】
図３（Ａ）は本実施の形態の窓に用いるグレモン錠の構成を示す斜視図、（Ｂ）はそのロックピンと受け具とを示す斜視図、図４は本実施の形態のグレモン錠の取付けユニットを示す分解斜視図、図５、図６はそれぞれ本実施の形態のグレモン錠を室内側から見た正面図および正面断面図、図７は本実施の形態のグレモン錠の中央部の取付け構造を示す平面断面図、図８は本実施の形態の段付きねじの取付け構造を示す正面断面図である。
【００３２】
図１、図３（Ａ）、（Ｂ）において、２６はハンドル２５の上下の操作により上下動させる施錠用ロックピンであり、２８は縦框８に設けたガイド部８ｋに沿って上下動可能に装着された可動枠であり、可動枠２８の上下にそれぞれロックピン２６が取付けられる。２７はハンドル２５の操作により可動枠２８と共にロックピン２６を上下動させる操作力伝達機構を備えたハンドルの取付けユニットである。図１に示すように、この取付けユニット２７は、室内側のホロー部８ｇに収容する。
【００３３】
図３（Ｂ）において、２９は縦枠３に取付ける受け具であり、ロックピン２６を係合、離脱させるロック溝２９ａを有する。グレモン錠は、ハンドル２５の下方（上方）への操作により可動枠２８を上動（下動）させ、可動枠２８の上下に取付けたロックピン２６を上げ（下げ）、これにより、縦枠３に取付けた受け具２９のロック溝２９ａに対してロックピン２６を係合、離脱させることにより、ロックとロック解除を行なうものである。
【００３４】
次に取付けユニット２７の構造について、図３〜図８により説明する。図４に示すように、取付けユニット２７は、樹脂ブロック３５と、その室外側に当てる第１の曲成金属板３６と、樹脂ブロック３５の室外側に当てる第２の曲成金属板３７と、解錠を禁止するロックブロック３８と、ハンドル２５の回動により上下動される可動ブロック３９とを備える。
【００３５】
図４、図６に示すように、樹脂ブロック３５は、ハンドル２５の枢着部２５ａおよびその近傍を収容するスペース３５ａを備える。４０はハンドル２５の枢着孔２５ｂに嵌合する雌ねじ筒であり、図７に示すように、樹脂ブロック３５を曲成金属板３６，３７で挟持し、この雌ねじ筒４０の一端の頭部側を曲成金属板３７の孔３７ａに嵌着すると共に、中間部を樹脂ブロック３５の中央部に設けた孔３５ｂとハンドル２５の枢着孔２５ｂに挿通し、他端の小径部を曲成金属板３６の孔３６ａに嵌合して取付け、雄ねじ４１を、この雌ねじ筒４０に螺合し締結して曲成金属板３６，３７と樹脂ブロック３５とを結合する。
【００３６】
さらに、図４に示すように、樹脂ブロック３５と曲成金属板３６，３７とを一体化するための別の雌ねじ筒４２，４３と雄ねじ４４，４５とを有し、雌ねじ筒４２，４３を、それぞれ曲成金属板３７の上下に設けた孔３７ｂ，３７ｃ嵌着すると共に、それぞれ樹脂ブロック３５に設けた孔３５ｃ，３５ｄに挿通し、先端の小径部を曲成金属板３６に設けた孔３６ｂ，３６ｃに嵌合し、室外側より、雄ねじ４４，４５を、それぞれ雌ねじ筒４２，４３に螺合し締結する。樹脂ブロック３５には、縦框８の内側見込み面８ｊに当てるカバー部３５ｅを有する（図５，図６参照）。カバー部３５ｅの上下端部には、後述の曲成金属板３６の上下の取付け片３６ｄを収容して覆う凹部３５ｆを設ける。
【００３７】
図４に示すように、曲成金属板３６の上端部および下端部には、縦框８の内側見込み面８ｊに当接させる取付け片３６ｄを有し、各取付け片３６ｄにそれぞれねじ孔３６ｅを有する。また、曲成金属板３６の上下に、図６に示すように、ホロー部８ｇの外側見込み面部８ｍの形成部分の内面に当接させる取付け片３６ｆを有し、各取付け片３６ｆにそれぞれねじ孔３６ｇを設ける。なお、取付け片３６ｄ、３６ｆに設けるねじ孔は、ナットを溶接することにより構成してもよい。
【００３８】
可動ブロック３９にはその両側に、外方に突出させたスライド部３９ａ，３９ｂおよびスライド部３９ｃ，３９ｄを設ける。曲成金属板３６には可動ブロック３９の片側のスライド部３９ａ，３９ｂを摺動可能に嵌合するガイド溝３６ｈを設け、曲成金属板３７にも可動ブロック３９の他側のスライド部３９ｃ，３９ｄを摺動可能に嵌合するガイド溝３７ｄ，３７ｅを設ける。曲成金属板３７の上端、下端に、曲成金属板３６の上下の辺３６ｉ，３６ｊに当接させる水平片３７ｆ、３７ｇを設けて曲成金属板３６，３７の相対的上下動を防止する。ハンドル２５には可動ブロック３９の開口部３９ｅの内壁に接触して可動ブロック３９を上下動させる駆動用突起２５ｃを備える（図６参照）。
【００３９】
図６に示すように、ロックブロック３８は、樹脂ブロック３５に設けたガイド溝３５ｇに沿って上下動可能に装着される。また、ロックブロック３８に両端から突出させてロッド３８ａを取付け、このロッド３８ａを、図４に示す樹脂ブロック３５の長孔３５ｆ、および曲成金属板３６，３７にそれぞれ設けた長孔３６ｋ，３７ｈに上下動可能に嵌合する。ロックブロック３８には、これを下降させることによりハンドル２５に設けた突起２５ｄを係止させる係止部３８ｂを備える。図６に示すように、ロックブロック３８には、樹脂ブロック３５に設けた凹部３５ｈに弾性的に係止してロックブロック３８をハンドル２５の突起２５ｄと係合しない上位置に退避させておく弾性係止片３８ｃを備える。
【００４０】
この取付けユニット２７およびハンドル２５は、縦框８に取付ける前に、ハンドルの枢着部２５ａを樹脂ブロック３５に設けたスペース３５ａに収容すると共に、可動ブロック３９の突起３９ａ，３９ｂと３９ｃ，３９ｄをそれぞれ曲成金属板３６，３７のガイド溝３６ｈと３７ｄ，３７ｅに嵌合した状態で曲成金属板３６，３７により樹脂ブロック３５を挟持する。また同時に、ロックブロック３８を、樹脂ブロック３５に設けたガイド溝３５ｇに装着し、弾性係止片３８ｃを樹脂ブロック３５の凹部３５ｈに係止させておく。そして、雌ねじ筒４０，４２，４３と雄ねじ４１，４４，４５により、ロックブロック３８および可動ブロック３９を装着した樹脂ブロック３５および曲成金属板３６，３７を一体化する。
【００４１】
そして図５，図６に示すように、縦框８の内側見込み面８ｊの形成部分に設けた開口部８ｍから取付けユニット２７をホロー部８ｇ内に挿入する。この時、曲成金属板３６の取付け片３６ｄおよび樹脂ブロック３５のカバー部３５ｅを縦框８の見込み面８ｊに当接させる。また、曲成金属板３６の外側見付け面８ｎ側の取付け片３６ｆを外側見込み面８ｎの形成部分の内面８ｐに当接させる。また、可動ブロック３９は、外側見込み面８ｎの形成部分に縦長に設けたガイド溝８ｑに上下動可能に嵌合される。
【００４２】
このようにして取付けユニット２７をホロー部８ｇの開口部８ｍに嵌合してホロー部８ｇに収容した状態において、段付きねじ４６および取付けねじ４７により取付けユニット２７を縦框８に固定する。図８は段付きねじ４６および取付けねじ４７による取付けユニット２７の取付け構造を示す断面図である。段付きねじ４６は、頭部４６ａ側の軸部４６ｂを大径とし、大径部４６ｂより反頭部側に、大径部４６ｂより小径の雄ねじ部４６ｃを形成したものである。なおこの例では、大径部４６ｂを、小径の雄ねじ部４６ｃとほぼ同径の軸部４６ｂ１に筒部４６ｂ２を嵌合することにより形成しているが、一体構造の軸により大径部４６ｂを形成してもよい。
【００４３】
この上下の段付きねじ４６を、縦框８の外側見込み面８ｎの形成部分に設けたねじ挿通孔８ｒから挿入し、大径部４６ｂの先端を、内側見込み面８ｊの形成部分の内面８ｓに当接させ、かつ雄ねじ部４６ｃを内側見込み面８ｊの形成部分に設けたねじ挿通孔８ｔに挿通して取付け片３６ｄのねじ孔３６ｅに螺合し締結することにより、取付けユニット２７を縦框８に取付ける。また、外側見込み面８ｎの形成部分に設けたねじ挿通孔８ｕに取付けねじ４７を挿通し、この取付けねじ４７を、曲成金属板３６の取付け片３６ｆのねじ孔３６ｇに螺合して締結する。
【００４４】
一方、可動枠２８にはロックピン２６を取付けておき、図５，図６に示すように、可動枠２８を縦框９のガイド溝８ｋに嵌め込み、取付けねじ４８により可動枠２８を可動ブロック３９に取付ける。
【００４５】
このグレモン錠においては、図３，図６に示すようにハンドル２５を下げた状態、すなわちロックピン２６が受け具２９のロック溝２９ａに嵌合したロック状態から図６に矢印Ｒで示すようにハンドル２５を上方に回動させると、ハンドル２５に設けた駆動用突起２５ｃが可動ブロック３９を矢印Ｙで示すように押し下げ、可動ブロック３９に取付けられた可動枠２８もロックピン２６と共に下降してロックピン２６が受け具２９のロック溝２９ａから離脱し、ハンドル２５を室外側に押すことにより、障子２を開くことができる。
【００４６】
反対に、障子２が閉じた状態において、ハンドル２５が上がった状態から矢印Ｒの反対方向に押し下げると、可動ブロック３９と共にロックピン２６が押し上げられ、受け具２９のロック溝２９ａに嵌合される。この状態でロックブロック３８を押し下げると、ロックブロック３８の係止部３８ｂがハンドル２５の突起２５ｄを係止する位置となり、ハンドル２５の上方への回動が禁止され、ハンドル２５の上方への回動操作が禁止される。障子２を開く際には、ロックブロック３８を引き上げてロックブロック３８の係止部３８ｂが突起２５ｄに干渉しない上位置に上げることにより、ハンドル２５ｄを上方に回動させて解錠することが可能となる。
【００４７】
上述のように、本実施の形態においては、縦框８の外側見込み面８ｎから挿入する段付きねじ４６により、ハンドル２５の取付けユニット２７を縦框８に固定することができるので、内側見込み面８ｊ側からねじにより取付けユニット２７を取付ける場合のような作業スペース上の制約を受けないため、ハンドル２５の取付け作業が容易となる。また、ハンドル２５を縦框８の内側見込み面８ｊに取付けたので、見付け面にハンドルを取付ける場合に比較し、縦框８の見付け面の面内方向の幅Ｗ２（図１参照）を狭くすることが可能となり、縦框８の幅を狭くした分、ガラスパネル１３の面積を広くすることができるので、窓の断熱性を向上させることができる。
【００４８】
また、本実施の形態においては、取付けユニット２７の外側見込み面８ｎ側に別の取付け片３６ｆを設け、段付きねじ４６以外の取付けねじ４７を別の取付け片３６ｆのねじ孔３６ｇに螺合し締結したので、取付けユニット２７の縦框８に対する取付け強度をより高めることができる。また、取付けユニット２７が内側見込み面８ｊの形成部分と外側見込み面８ｎの形成部分とで固定されるため、取付けユニット２７のぐらつきが防止される。
【００４９】
また、本実施の形態においては、取付けユニット２７の内側見込み面８ｊ側の取付け片３６ｄが樹脂ブロック３５のカバー部３５ｅにより隠される構造としたので、内側見込み面８ｊ側から固定する場合必要となるねじ隠しキャップが不要となる。
【００５０】
また、本実施の形態においては、ホロー部８ｇに取付けユニット２７を取付ける取付けねじとして段付きねじ４６を用いたので、縦框８の内側見込み面８ｊの形成部分と外側見込み面８ｎの形成部分との間を取付けねじによって近づける方向に変形させることなく取付けユニット２７を縦框８に取付けることができ、框の強度が弱い樹脂製建具において、取付けユニット２７を縦框８を強固に取付けることができる。また、樹脂製枠および框を用いることにより、断熱性を向上させた樹脂製建具において、ハンドル２５を見込み面８ｊに取付ける構造により、縦框８の幅Ｗ２を狭くすることができ、さらに断熱性の優れた樹脂製建具を提供することが可能となる。なお、本発明は、樹脂製建具のみならず、金属製押出形材により枠や框を構成する建具にも適用できる。
【００５１】
以上本発明を実施の形態により説明したが、本発明は、縦辷り出し窓のみでなく、横辷り出し窓や開き窓にも適用できる。また、本発明を実施する場合、本発明の要旨を逸脱しない範囲において、構成部材やその組み合わせについて、種々の変更、付加が可能である。
【符号の説明】
【００５２】
１：窓枠、２：障子、３，４：縦枠、５，６：横枠、８，９：縦框、８ｅ，８ｇ，９ｅ，９ｇ：ホロー部、８ｉ，９ｉ：傾斜板部、８ｊ：内側見込み面、８ｎ：外側見込み面、１０，１１：横框、１０ｅ，１０ｇ，１１ｅ，１１ｇ：ホロー部、１０ｉ，１１ｉ：傾斜板部、１３：ガラスパネル、１７〜１９：気密材、２０：押縁、２２，２３：芯材、２５：ハンドル、２６：ロックピン、２７：取付けユニット、２８：可動枠、２９：受け具、３５：樹脂ブロック、３６：第１の曲成金属板、３７：第２の曲成金属板、３９:可動ブロック、４０，４２，４３：雌ねじ筒、４１，４４，４５：雄ねじ、４６:段付きねじ、４６ｂ：大径部、４６ｃ：雄ねじ部、４７:取付けねじ
【図１】
2015113582.tif 000003
【図２】
2015113582.tif 000004
【図３】
2015113582.tif 000005
【図４】
2015113582.tif 000006
【図５】
2015113582.tif 000007
【図６】
2015113582.tif 000008
【図７】
2015113582.tif 000009
【図８】
2015113582.tif 000010
【図９】
2015113582.tif 000011